(57)【要約】【課題】機種の入れ替えの際にかかる交換部品及びコストを削減させる。【解決手段】パチンコ機１０は、遊技機本体１１、透明遊技盤１２、前扉１３、画像表示装置１４、デザインプレート１５からなる。透明遊技盤１２と、遊技機本体１１との間に画像表示装置１４及びデザインプレート１５、スイッチユニット３０が着脱自在に配置される。遊技機本体１１に設けられた固定具３９を回動して、遊技機本体１１に対する透明遊技盤１２の固定を解除することによって画像表示装置１４及びデザインプレート１５が露呈して交換が可能となる。【選択図】図４
2009112510.tif 000002
【特許請求の範囲】
【請求項１】
本体に対して開閉自在に取り付けられ、遊技領域を有する透明遊技盤を備えた弾球遊技機において、
前記遊技領域内の高さ方向における上部に位置する画像表示装置と、
この画像表示装置の下方で、且つ前記遊技領域内に位置し、前記遊技領域へ突出するステージを少なくとも設けたデザインプレートとを備え、
前記透明遊技盤と前記本体との間で、前記画像表示装置及び前記デザインプレートを着脱自在に配置することを特徴とする弾球遊技機。
【請求項２】
前記本体は、入賞を検知する入賞検知スイッチを少なくとも設けたスイッチユニットを備えており、前記デザインプレートは、前記透明遊技盤と前記スイッチユニットとの間に配置され、前記入賞検知スイッチは、前記デザインプレートを貫通して前記遊技領域へ突出することを特徴とする請求項１記載の弾球遊技機。
【請求項３】
前記透明遊技盤は、ヒンジ機構を介して前記本体に対して回転自在に軸支されていることを特徴とする請求項１又は２記載の弾球遊技機。
【請求項４】
前記ヒンジ機構は、前記本体に対して前後方向に沿ってスライド自在となっていることを特徴とする請求項１ないし３記載の弾球遊技機。
【発明の詳細な説明】
【技術分野】
【０００１】
本発明は、パチンコ店などの遊技場に設置される例えばパチンコ機などの弾球遊技機に関するものである。
【背景技術】
【０００２】
遊技場に設置して使用されるパチンコ機などの遊技機では、遊技領域が設けられた遊技盤の表面に、様々な装飾やキャラクターなどのデザインが施され、裏面には遊技における制御を行う制御回路装置が組み付けられた構成となっていることが一般的であり、この制御回路装置には、遊技機の全体を制御するＣＰＵや、遊技の制御プログラムを記憶したメモリなどを備えていることから、パチンコ機の新機種への入れ替えを行う場合、遊技盤を交換することによって、デザインと遊技の内容とを一度に変更することができる。
【０００３】
一方、このような遊技機を遊技場に設置するには、保安電子通信技術協会（以下、保通協）で検査を受ける必要があり、この検査に合格した時には、遊技機の業界組合に所属していることを示す許諾証や、特許の許諾証等の証紙を貼ることが義務づけられている。この証紙は、検査を合格したものであるか等を確認できるように、パチンコ機の前面から視認できる位置に貼り付けられる（特許文献１〜３）。
【特許文献１】特開２００３−１０４９９号公報
【特許文献１】特開２００４−６５６８８号公報
【特許文献１】特開２００６−１９８２５６号公報
【発明の開示】
【発明が解決しようとする課題】
【０００４】
最近では、遊技機の新機種入れ替えに掛かるコスト低減、及び環境負荷を考慮し、交換部品の量及び部品点数を減少させることが望まれている。しかしながら、上記特許文献記載の遊技機のように、遊技盤ごと交換を必要とする構成では、新機種の入れ換えの度に大きなコストが掛かり、また、廃棄する部品の量も多いことから環境負荷の点でも問題となっている。
【０００５】
さらにまた、上記特許文献１〜３記載の遊技機では、上述した証紙類を遊技盤、または遊技盤に設けた証紙ホルダなどに固着させる構成となっているため、新機種入れ替えの際、遊技盤より小さい部品単位での交換は考慮されていない。
【０００６】
本発明は、上記課題を解決するためになされたものであり、機種の入れ替えの際にかかる交換部品及びコストを削減させることが可能な弾球遊技機を提供することを目的とする。
【課題を解決するための手段】
【０００７】
本発明は上記目的を達成するために、本体に対して開閉自在に取り付けられ、遊技領域を有する透明遊技盤を備えた弾球遊技機において、前記遊技領域内の高さ方向における上部に位置する画像表示装置と、この画像表示装置の下方で、且つ前記遊技領域内に位置し、前記遊技領域へ突出するステージを少なくとも設けたデザインプレートとを備え、前記透明遊技盤と前記本体との間で、前記画像表示装置及び前記デザインプレートを着脱自在に配置することを特徴とする。
【０００８】
なお、前記本体は、入賞を検知する入賞検知スイッチを少なくとも設けたスイッチユニットを備えており、前記デザインプレートは、前記透明遊技盤と前記スイッチユニットとの間に配置され、前記入賞検知スイッチは、前記デザインプレートを貫通して前記遊技領域へ突出することが好ましい。
【０００９】
また、前記透明遊技盤は、ヒンジ機構を介して前記本体に対して回転自在に軸支されていることが好ましい。さらにまた、前記ヒンジ機構は、前記本体に対して前後方向に沿ってスライド自在となっていることが好ましい。
【発明の効果】
【００１０】
本発明の弾球遊技機によれば、遊技領域内の高さ方向における上部に位置する画像表示装置と、この画像表示装置の下方で、且つ前記遊技領域内に位置し、遊技領域へ突出するステージを少なくとも設けたデザインプレートとを備え、前記透明遊技盤と前記本体との間で、前記画像表示装置及び前記デザインプレートを着脱自在に配置しているので、機種の入れ替えの際にかかる交換部品及びコストを削減させることができる。
【発明を実施するための最良の形態】
【００１１】
図１及び図２に示すように、本実施形態を適用したパチンコ機１０は、遊技機本体１１と、透明遊技盤１２と、前扉１３と、画像表示装置１４と、デザインプレート１５とからなる。前扉１３には、透明板１３ａが嵌め込まれており、透明遊技盤１２を覆っている。これにより遊技者は、透明板１３ａを介して遊技の状態を視認することができる。
【００１２】
透明遊技盤１２は、その前面にパチンコ球１７が打ち出される遊技領域１２ａを有している。遊技領域１２ａの中央付近には、役物１８が設けられている。この役物１８は、パチンコ球１７が滞留するステージ２０と、このステージ２０の下方に位置する入賞口２１〜２３と、図示しない装飾物などから構成される。また遊技領域１２ａの下端部には、アウト口２４が形成されている。また、詳しくは図示しないが、透明遊技盤１２の遊技領域１２ａには多数の遊技釘や風車が設けられている。なお、パチンコ機１０の下部には受け皿２５が設けられており、入賞口へパチンコ球１７が入ったことの対価としての賞球が受け皿２５に払い出される。また、受け皿２５の下方には発射ハンドル２６が取り付けられており、発射ハンドル２６が回動されると透明遊技盤１２の遊技領域１２ａへパチンコ球１７が発射される。入賞口に入らなかった遊技球はアウト口２４から回収される。
【００１３】
画像表示装置１４は、例えば液晶表示装置などからなり、演出用の画像を表示する。この画像表示装置１４は、透明遊技盤１２の背面側で、遊技領域１２ａ内の高さ方向における上部に配置される。
【００１４】
デザインプレート１５は、図２に示すように、透明支持板２７と、この透明支持板２７とほぼ同サイズの面積に形成されたデザインシート２８とからなり、デザインシート２８が透明支持板２７の背面側に固着されて一体化される。デザインプレート１５は、透明遊技盤１２の背面側で画像表示装置１４の下方で、且つ遊技領域１２ａ内に位置する。なお、デザインシート２８には、パチンコ機１０を特定する情報としての製造年月日、保通協での検査合格日、検査を合格した旨の情報等が印刷された証紙が貼付されていたり、装飾用の絵柄などが印刷されている。
【００１５】
透明支持板２７は、役物１８の一部を構成するステージ２０を備えている。ステージ２０は、透明遊技盤１２の貫通孔１２ｂを通して遊技領域１２ａに突出する。また、透明支持板２７及びデザインシート２８には、後述する入賞検知スイッチ３１〜３３を貫通させる貫通孔２７ａ，２８ａがそれぞれ設けられている。なお、デザインプレート１５の構成は、これらに限るものではなく、例えば、ステージ２０を備えた支持板と、この支持板の前面に固着されたデザインシートとからなる構成でもよい。
【００１６】
遊技機本体１１には、図２及び図３に示すように、その前面側に透明遊技盤１２、画像表示装置１４、及びデザインプレート１５が配置される開口部２９が設けられており、この開口部２９の下部にはスイッチユニット３０が設けられている。スイッチユニット３０は、デザインプレート１５の後方に位置しており、入賞口２１〜２３に入賞したパチンコ球１７を検知する入賞検知スイッチ３１〜３３が設けられている。入賞検知スイッチ３１〜３３は、周知の磁気センサや、光電センサなどから構成されるものを使用する。なお、スイッチユニット３０には、詳しくは図示しないが、入賞検知スイッチ３１〜３３を動作させる各種機構などが組み込まれている。入賞検知スイッチ３１〜３３は、デザインプレート１５を貫通するとともに、透明遊技盤１２に設けられた開口部１２ｅ（図３及び図４参照）を貫通して遊技領域１２ａへ突出する。なお、図３においては図面の煩雑化を防ぐため、入賞検知スイッチ３１〜３３の周囲に位置する入賞口２１〜２３を含む装飾物、スイッチユニット３０の内部構造などを省略している。
【００１７】
また、図３に示すように、遊技機本体１１の背面には、メイン制御基板３４ａ及びサブ制御基板３４ｂが設けられている。メイン制御基板３４ａは、パチンコ機１０の作動を統括的に制御し、スイッチユニット３０や払出装置（図示せず）などが接続されており、スイッチユニット３０の入賞検知スイッチ３１〜３３が入賞を検知したときに出力される検知信号を受信したとき、払出装置を作動させ、予め設定されている個数のパチンコ球１７を賞球として受け皿２５に払い出す。サブ制御基板３４ｂは、図示しないケーブルを介してメイン制御基板３４ａに接続されており、メイン制御基板３４ａから入力された制御信号に応じて、画像表示装置１４やスピーカなどによる演出制御を行う。
【００１８】
透明遊技盤１２は、図２に示すように、遊技機本体１１に対してヒンジユニット（ヒンジ機構）３５を介して接続される。ヒンジユニット３５は、ヒンジ本体３６と、このヒンジ本体３６の上下端部に設けられた係合軸３７ａ，３７ｂとからなる。詳しくは、図４に示すように、ヒンジ本体３６は、遊技機本体１１の前後方向に沿って形成された長孔３６ａを備えており、この長孔３６ａが、取り付けピン３８によって係止されて遊技機本体１１に取り付けられている。これによって、ヒンジユニット３５は、遊技機本体１１の前後方向に沿ってスライド自在となっている。また、係合軸３７ａ，３７ｂは、透明遊技盤１２の一方の端部と係合して透明遊技番１２を回転自在に軸支する。なお、ヒンジユニット３５の構成はこれらに限るものではなく、遊技機本体１１に対して前後方向に沿ってスライド自在とするとともに、透明遊技盤１２を回転自在に軸支する構成であればよい。
【００１９】
また、図４に示すように、透明遊技盤１２の他方の端部には、挿通孔１２ｃ、１２ｄが形成されている。この挿通孔１２ｃ、１２ｄには、遊技機本体１１に設けられた固定具３９が挿通される。固定具３９には、つまみ３９ａが設けられており、挿通孔１２ｃ，１２ｄに挿通された固定具３９のつまみ３９ａを９０°回動させると、挿通孔１２ｃ，１２ｄの周囲面とつまみ３９ａが当接する。これによって、透明遊技盤１２の他方の端部が遊技機本体１１に固定される。なお、透明遊技盤１２を固定する構成はこれらに限るものではなく、ネジ止めなどにより固定してもよい。
【００２０】
上述したように、一方の端部がヒンジユニット３５に支持され、他方の端部が固定具３９によって固定された透明遊技盤１２と、遊技機本体１１との間に画像表示装置１４及びデザインプレート１５、スイッチユニット３０が着脱自在に配置される。そして、遊技機本体１１に対する透明遊技盤１２の固定を解除することによって画像表示装置１４及びデザインプレート１５の交換が可能となる。
【００２１】
また、前扉１３には、図１に示すように周知のロック装置４０が組み込まれており、前扉１３の前面に露呈する鍵穴４０ａに解錠キーを挿入して回転させることで、前扉１３の他方の端部を遊技機本体１１に固定するロック状態と、前扉１３の固定を解除するアンロック状態とに切り替える。
【００２２】
上記構成の作用について図５を用いて説明する。パチンコ機１０で機種交換するときには、先ずロック装置４０をアンロック状態にして、前扉１３と遊技機本体１１との固定を解除させる。これにより前扉１３が閉じ位置から開放位置への回動が可能になる（図５（Ａ）に示す状態）。
【００２３】
前扉１３を開放させると、透明遊技盤１２を固定する固定具３９が露呈する。そして固定具３９のつまみ３９ａを９０°回動させて透明遊技盤１２の固定を解除すると、画像表示装置１４及びデザインプレート１５が露呈し、これらの画像表示装置１４及びデザインプレート１５、さらにデザインプレート１５の奥に位置するスイッチユニット３０の交換が可能となる(図５（Ｂ）に示す状態)。なお、これらの交換作業の際には、透明遊技盤１２を開き位置に回転させるとともに、ヒンジユニット３５を前後方向にスライドさせると、遊技機本体１１と透明遊技盤１２との隙間を大きくすることができるため、部品の取り外し、及び取り付けの作業がしやすくなる（図５（Ｃ）に示す状態）。また、機種変更の際には、デザインプレート１５やスイッチユニット３０の他に、例えばメイン制御基板３４ａ，サブ制御基板３４ｂ（図３参照）などの交換作業を行う。交換作業の後は、固定具３９で透明遊技盤１２を固定し（図５（Ａ）に示す状態）、前扉１３を閉じ位置にしてロック状態とする。
【００２４】
このようにして、遊技盤などの大きな部品を交換することなく、容易な交換作業で機種変更が可能であり、また機種変更の際の交換部品を減少させることもできるため、ローコスト化を図ることができる。さらにまた前扉から透明遊技盤を介して露呈するデザインシートのイラストなどの絵柄を変更することが可能となるから、パチンコ機の外観を容易に変更することができる。
【００２５】
なお、上記実施形態においては、入賞検知スイッチ３１〜３３は、透明遊技盤１２に設けられた開口部１２ｅを貫通して遊技領域１２ａに突出する構成としているが、入賞検知スイッチは遊技領域に突出しない構成でもよく、例えば図６に示すパチンコ機５０のように、入賞検知スイッチ５１を透明遊技盤１２と平行に、デザインプレート１５の厚み方向の範囲内に配置するとともに、入賞口の飾り枠５２が透明遊技盤１２を貫通する通路５２ａを備え、遊技領域１２ａから入賞検知スイッチ５１へと到達するように配置する構成としてもよい。
【図面の簡単な説明】
【００２６】
【図１】本発明を用いたパチンコ機の外観斜視図である。
【図２】パチンコ機の構成を示す分解斜視図である。
【図３】パチンコ機の要部断面図である。
【図４】透明遊技盤の固定を解除した状態を示す斜視図である。
【図５】デザインプレートの交換作業を示す説明図である。
【図６】図３に示すパチンコ機とは別の実施例の構成を示す要部断面図である。
【符号の説明】
【００２７】
１０，５０  パチンコ機
１１  遊技機本体
１２  透明遊技盤
１４  画像表示装置
１５  デザインプレート
２０  ステージ
３０  スイッチユニット
３１〜３３，５１  入賞検知スイッチ
３５  ヒンジユニット（ヒンジ機構）
【図１】
2009112510.tif 000003
【図２】
2009112510.tif 000004
【図３】
2009112510.tif 000005
【図４】
2009112510.tif 000006
【図５】
2009112510.tif 000007
【図６】
2009112510.tif 000008